(57)【要約】　　　（修正有）【課題】ペットボトルにコップのついたキャップを設けることで口当たりの良い飲み心地の良いコップ付きのペットボトルを提供する。【解決手段】柔軟質の合成樹脂を成形してなるコップ体１の底部２の中央部で、コップ体１の開口部１ａに向けて筒体状の内径にめねじ３を設けたキャップ部４を一体的に構成するもので、キャップ部４をペットボトルＡの注出口Ｂの外周に具えたおねじＣにめねじ３を嵌合自在に構成する。【選択図】　　図１
2004043008.tif 000002
【特許請求の範囲】
【請求項１】
柔軟質の合成樹脂成形でなるコップ体（１）の底部（２）の中央部で、開口部（１ａ）に向けて筒体状の内径にめねじ（３）を設けたキャップ部（４）を底部（２）に一体的構成したもので、当該キャップ部（４）をペットボトル（Ａ）の注出口（Ｂ）の外周に具えたおねじ（Ｃ）に前記めねじ（３）を嵌合自在にしたことを特徴とするコップ付ペットボトル。
【請求項２】
柔軟質の合成樹脂成形でなるコップ体（１）の底部（２）の中央部で外面に筒体状のリング部（５）を一体的構成したもので、当該リング部（５）をペットボトル（Ａ）の注出口（Ｂ）を開閉するキャップ（Ｄ）の外周に圧入挿入可能にし、且つコップ体（１）の開口部（１ａ）をペットボトル（Ａ）の外周に沿って着脱自在可能にしたことを特徴とするコップ付ペットボトル。
【発明の詳細な説明】
【０００１】
【発明に属する技術分野】この発明は、ベットボトルに関し、更に詳しくはコップ付きペットボトルに関する。
【０００２】
【従来の技術】この種の従来の技術として、ペットボトルに詰められたジュースなどを飲むのに、ペットボトルのキャップをはずして、直接的に口を注出口に当てながら飲むのが一般的である。
【０００３】また、２リットル入れなどの大型でのロングサイズでのペットボトルは直接的に注出口に口を当てることが出来ないため、コップやカップなどの個別に用意した入れ物に移して飲んでいる。
【０００４】
【発明が解決しようとする課題】しかしながら上記する従来技術でのペットボトルでの注出口のキャップのねじ込みは、かためにしめつけられているため、子供や握力の弱い利用者には、扱いにくいという課題がある。
【０００５】また、スモールサイズでの携帯しながら飲むペットボトルでは直接に注出口を口に当てることで最後まで飲み干すのに頭を仰向けに数回振らなければならないという課題がある。
【０００６】更には、注出口に口を直接当てることで注出口のねじ部に付着したジュースなどに異物が混入し非衛生的であると同時に注出口の硬いプラスチックに口を当てるため、口当たりの悪い感触で喫飲しなければならないという課題がある。
【０００７】そしてまた、ロングサイズでのペットボトルでは、コップを別に用意してペットボトルから移しながら飲まなければならないということことで常時コップ付きペットボトルが強く要望されていた。
【０００８】
【課題を解決するための手段】この発明は、上記する数々の課題を解決するために、請求項１の発明は、図１．２で述べるように、柔軟質の合成樹脂成形でなるコップ体１の底部２に筒状のめねじ３付でのキャップ体４を一体構成し、ペットボトルＡの注出口Ｂの外周に具えたおねじＣに前記めねじ３が嵌着して注出口Ｂが密封と開封とが自在にしている。
【０００９】次に請求項２の発明は、図３．４．５で述べるように柔軟質の合成樹脂成形でなるコップ体１の底部２の中央部で、外面に筒体状のリング部５を一体構成したもので、当該リング部５をペットボトルＡの注出口Ｂに設けたキャップＤの外周に圧入挿入可能にし、またコップ体１の開口部１ａをペットボトルＡの外周に沿って着脱自在可能にした構成である。
【００１０】このように、キャップＤの外周に圧入挿入するコップ体１に具えたリング部５の内径は相互の圧入強度を適切にし、コップ体１の回動でキャップＤが空転のない相互の滑りにくい接合によってキャップＤの開成と閉成を容易にしている。
【００１１】そしてまた、コップ体１の開口部１ａの広がりがペットボトルＡの外周にさし込まれてほでよい開口部１ａの伸縮でペットボトルＡにコップ体１が保持される構成である。
【００１２】
【発明の実施の形態】以下に図示の実施例に基づいて本発明を更に詳細に説明する。即ち図１．２は本発明の第１実施例に基づくもので図１は、一部断面での使用例での全体斜視図を示し、図２は同じ第１実施例に基づく一部断面での斜視図である。
【００１３】そして、柔軟質のポリプロピレン等の合成樹脂成形でなる底部２と開口部１ａからなるコップ体１の開口部１ａの直径をほぼペットボトルＡの外径に近似した形態で、利用者が持ちやすい外径で且つ開口部１ａの縁は口当りの良い柔らかな感触をもたせている。
【００１４】上記するコップ体１の底部２の中央に位置して内径にめねじ３が切られた筒体状で一体的構成するキャップ部４が設けられ、これらのめねじ３は飲料物の入ったペットボトルＡの注出口Ｂの外周に具えたおねじと整合して噛合っている。
【００１５】即ち，市販されている飲料物の入ったペットボトルＡの注出口ＢのキャップＤの代替にコップ体１に一体的構成するキャップ部４を係合することになる。
【００１６】そして、利用者がペットボトルＡの飲み物を飲む場合に、このコップ体１の外周を握って矢印と逆方向に回すことで注出口Ｂにねじ込まれ密閉されたキャップ部４が緩み外れ、そのままの状態で握ったコップ体１にペットボトルＡの飲み物を注ぎ込んで飲むことが出来、空になったコップ体１は再度ペットボトルＡの注出口Ｂにねじ込んで密封されて、ペットボトルＡとコップ体１は複合される。
【００１７】次に図３．４．５は本発明の第２実施例にもとづくもので、図３は一部断面での全体斜視図で、図４は本発明での使用例での全体斜視図で、図５は本発明での使用後の保管時の全体斜視図である。
【００１８】これらの第２実施例での発明は、柔軟質の合成樹脂成形でのペットボトルＡの飲料物を注ぎ込んで口にするコップ体１の形態で、これらは底部２と開口部１ａからなり、底部２の中央に位置して外側面に直立するリング体５をコップ体１と一体構成している。
【００１９】開口部１ａは、ペットボトルＡの外周にはめ込まれることで相互の夫々の寸法は開口部１ａが伸縮性の合成樹脂であることで、ペットボトルＡの外周よりやや小さめがよく、コップ体１の開口部１ａがペットボトルＡにさし込まれた後振動やわずかな外力で脱落のない程度の保持力が望まれる。
【００２０】また更に、コップ体１の底部２の中央に位置して外側面に設けたリング体５は、内径がペットボトルＡの注出口Ｂを開閉するねじ状のキャップＤの外周にさし込んでリング体５を回動することでキャップＤを回動させて注出口Ｂの開閉を自在にしている。
【００２１】これらのリング体５はキャップＤを回動させ、同時にコップ体１はペットボトルＡの飲料物を注ぎ込んで飲むことになり、空になったコップ体１は底部２にはめ込まれているキャップＤを再度ペットボトルＡにねじ込まれる。
【００２２】そして、ペットボトルＡの注出口ＢがキャップＤで密閉された後はフリーになったコップ体１の開口部１ａをペットボトルＡの外周に合わせてさし込むことで伸縮性の開口部１ａはペットボトルＡとフィットし、ペットボトルＡにコップ体１を保持して、相互が複合される。
【００２３】
【発明の効果】本考案は上述の通り構成作用するので次の優れた効果を奏する。即ち、第１実施例ではペットボトルの注出口のキャップ体の開け閉めは、キャップ体のついているコップ体を利用者は握った状態のままで注出口の開閉は出来ることになり比較的に弱い力で操作が出来、同時にそのキャップ体にペットボトルの飲料物を注ぎ込んで口にすることが出来、空になったコップ体は、ペットボトルに複合の出来るコップ付きペットボトルを提供出来る。
【００２４】又、第２実施例では、ペットボトルのキャップにコップ体についているリング体をさし込んで、コップ体を握ったまま必要に比較的弱い力で注出口が開閉出来、同時にそのコップ体にペットボトルの飲料物を注ぎ込んで飲み、且つ空になったコップ体をペットボトルの外周にさし込んでペットボトルに複合の出来るコップ付きペットボトルを提供出来る。
【００２５】このようにいずれも柔軟質でのコップ体を使って飲み物を口にすることが出来るので口当たりの心地よい感触で喫飲が出来、いつもコップ体をペットボトルと複合の出来るコップ付ペットボトルを提供出来る。
【図面の簡単な説明】
【図１】本発明に係わる第１実施例での一部断面での全体を示す斜視図である。
【図２】本発明に係わる第１実施例での一部断面でのコップ体の斜視図である。
【図３】本発明に係わる第２実施例での一部断面での全体を示す斜視図である。
【図４】本発明に係わる第２実施例での使用状態での全体斜視図である。
【図５】本発明に係わる第２実施例での保管状態での全体斜視図である。
【符号の説明】
１　　　コップ体
１ａ　　開口部
２　　　底部
３　　　めねじ
４　　　キャップ体
５　　　リング体
Ａ　　　ペットボトル
Ｂ　　　めねじ
Ｃ　　　おねじ
Ｄ　　　キャップ
【図１】
2004043008.tif 000003
【図２】
2004043008.tif 000004
【図３】
2004043008.tif 000005
【図４】
2004043008.tif 000006
【図５】
2004043008.tif 000007